(57)【要約】【課題】陳列台装置とは別に小型陳列台を用意する必要がなく、狭い場所にも対応することができる陳列台装置を提供する。【解決手段】化粧皿収容凹部１１に複数の化粧皿１７を前後に２列以上陳列しうる下側陳列台１と、複数の化粧料容器載置用凹部２６に化粧料容器３３を陳列しうる上側陳列台２を備え、下側陳列台１の上面に、上側陳列台２の脚部を固定する固定部を前後に２個以上形成し、下側陳列台１の最後部の固定部に上記脚部を固定した状態で下側陳列台１上に上側陳列台２を載置して化粧皿１７を全て露呈させる第１の陳列態様と、下側陳列台１の最前部の固定部に上記脚部を固定した状態で下側陳列台１上に上側陳列台２を載置して少なくとも最前列の化粧皿１７を露呈させる第２の陳列態様のいずれかの態様を選択しうるようにしている。【選択図】図１
2004215963.tif 000002
【特許請求の範囲】
【請求項１】
上面に化粧皿収容凹部が形成され上記化粧皿収容凹部に複数の平板状化粧皿を前後に２列以上陳列しうる下側陳列台と、上面に複数の化粧料容器載置用凹部が形成され上記各化粧料容器載置用凹部に立置きタイプの化粧料容器を陳列しうる上側陳列台とを備え、上記上側陳列台の下面から脚部を突設し、上記下側陳列台の上面に、上側陳列台の脚部を固定するための固定部を前後に２個以上形成し、上記下側陳列台の最後部の固定部に上側陳列台の脚部を固定した状態で下側陳列台上に上側陳列台を載置することにより、上記下側陳列台に陳列される平板状化粧皿を全て露呈させる第１の陳列態様と、上記下側陳列台の最前部の固定部に上側陳列台の脚部を固定した状態で下側陳列台上に上側陳列台を載置することにより、上記下側陳列台に陳列される少なくとも最前列の平板状化粧皿を露呈させる第２の陳列態様とのいずれかの態様を選択しうるように構成したことを特徴とする陳列台装置。
【請求項２】
上記下側陳列台の化粧皿収容凹部に固定部が少なくとも１つ形成されている請求項１記載の陳列台装置。
【発明の詳細な説明】
【０００１】
【発明の属する技術分野】
本発明は、化粧料（テスター用化粧料等を含む）を店頭等に陳列するための陳列台装置に関するものである。
【０００２】
【従来の技術】
従来から、ファンデーション等の各種化粧料を店頭等に陳列するための陳列台として、各種の陳列台が用いられている。例えば、新製品の発表期間中や季節ごとのプロモーション期間中等においては、多種類（例えば、女性の肌の色は各人でそれぞれ異なるため、女性の肌の色に合わせてファンデーション等の色も、９種類程度のものが新製品等として販売されることが多い）の化粧料を陳列することができる陳列台が用いられている。このような陳列台として、図１４に示すように、陳列台本体６１を、上下３段に形成された傾斜板部６２と、この傾斜板部６２を支受する複数本の脚部（図示せず）と、上記傾斜板部６２の右側部分に形成された凹部６２ａにスライド自在に収容される３つの可動陳列皿６３等で構成し、上記傾斜板部６２の上面に形成された多数の凹部６４ａ〜６４ｃにボトルタイプの化粧料サンプル品６５，６６およびチューブタイプの化粧料サンプル品６７，６８を陳列し、可動陳列皿６３の上面にファンデーション等の化粧料サンプル品６９を陳列したものがある（例えば、特許文献１参照）。
【０００３】
【特許文献１】
特開２００１−４６１９６号公報（段落番号〔０００９〕〜〔００１３〕）
【０００４】
【発明が解決しようとする課題】
しかしながら、上記の陳列台では、新製品の発表期間等が終了したのち、多種類の化粧料のうち、何種類かの化粧料だけを陳列したい場合には（例えば、９種類の色のファンデーション等のうち、売れ筋の色が６種類だけであるため、これら６種類の色のファンデーション等だけを陳列したい場合には）、上記の陳列台とは別に、上記何種類かの化粧料だけを陳列するための小型陳列台を用意しなければならないという問題があり、また、上記の陳列台を利用しようとすると、広いスペースを必要とするため、狭い場所では陳列することができないという問題がある。
【０００５】
本発明は、このような事情に鑑みなされたもので、陳列台装置とは別に小型陳列台を用意する必要がなく、狭い場所にも対応することができる陳列台装置の提供をその目的とする。
【０００６】
【課題を解決するための手段】
上記の目的を達成するため、本発明の陳列台装置は、上面に化粧皿収容凹部が形成され上記化粧皿収容凹部に複数の平板状化粧皿を前後に２列以上陳列しうる下側陳列台と、上面に複数の化粧料容器載置用凹部が形成され上記各化粧料容器載置用凹部に立置きタイプの化粧料容器を陳列しうる上側陳列台とを備え、上記上側陳列台の下面から脚部を突設し、上記下側陳列台の上面に、上側陳列台の脚部を固定するための固定部を前後に２個以上形成し、上記下側陳列台の最後部の固定部に上側陳列台の脚部を固定した状態で下側陳列台上に上側陳列台を載置することにより、上記下側陳列台に陳列される平板状化粧皿を全て露呈させる第１の陳列態様と、上記下側陳列台の最前部の固定部に上側陳列台の脚部を固定した状態で下側陳列台上に上側陳列台を載置することにより、上記下側陳列台に陳列される少なくとも最前列の平板状化粧皿を露呈させる第２の陳列態様とのいずれかの態様を選択しうるように構成したという構成をとる。
【０００７】
すなわち、本発明の陳列台装置は、上面に化粧皿収容凹部が形成され上記化粧皿収容凹部に複数の平板状化粧皿を前後に２列以上陳列しうる下側陳列台と、上面に複数の化粧料容器載置用凹部が形成され上記各化粧料容器載置用凹部に立置きタイプの化粧料容器を陳列しうる上側陳列台とを備えている。また、上記上側陳列台の下面から脚部を突設し、上記下側陳列台の上面に、上側陳列台の脚部を固定するための固定部を前後に２個以上形成している。そして、上記下側陳列台の最後部の固定部に上側陳列台の脚部を固定した状態で下側陳列台上に上側陳列台を載置することにより、上記下側陳列台に陳列される平板状化粧皿を全て露呈させる第１の陳列態様と、上記下側陳列台の最前部の固定部に上側陳列台の脚部を固定した状態で下側陳列台上に上側陳列台を載置することにより、上記下側陳列台に陳列される少なくとも最前列の平板状化粧皿を露呈させる第２の陳列態様とのいずれかの態様を選択できるようにしている。したがって、本発明では、新製品の発表期間等においては、第１の陳列態様により、下側陳列台に陳列される平板状化粧皿を全て露呈させることで、多種類の化粧料を陳列することができる。また、新製品の発表期間等が終了したのちには、第２の陳列態様により、下側陳列台に陳列される少なくとも最前列の平板状化粧皿を露呈させることで、多種類の化粧料のうちの何種類かの化粧料だけを陳列することもできる。しかも、このときに、本発明の陳列台装置を構成する両陳列台を利用することができ、本発明の陳列台装置とは別に小型陳列台を用意する必要がない。しかも、第２の陳列態様にする場合には、第１の陳列態様から上側陳列台を前側に移動させるようにしているため、前後寸法が短くなり、狭い場所にも対応することができる。
【０００８】
本発明において、上記下側陳列台の化粧皿収容凹部に固定部が少なくとも１つ形成されている場合には、化粧皿収容凹部を利用して固定部を形成することができるため、下側陳列台の前後寸法を短くすることができる。
【０００９】
【発明の実施の形態】
つぎに、本発明の実施の形態を図面にもとづいて詳しく説明する。
【００１０】
図１および図２は本発明の陳列台装置の一実施の形態を示している。これらの図において、１はプラスチック製の下側陳列台であり、２はプラスチック製の上側陳列台であり、それぞれプラスチック材料により一体成型されている。３は訴求ボードであり、その前面に商品名，宣伝用の文句，写真等が記載されている。４はパフ（図示せず）を収容するパフ収容ケースであり、５はフィニッシュパウダー（図示せず）を収容するフィニッシュパウダー収容ケースであり、６はコンパクトであり、７は目隠しＰＯＰである。
【００１１】
上記下側陳列台１は、図３〜図５に示すように、その上面１ａが後上がり状に緩やかに湾曲する湾曲面に形成されており、その前半部分に化粧皿収容凹部１１が形成されている。この化粧皿収容凹部１１には、その後側部分に、上記化粧皿収容凹部１１の左右両側縁の後端部から左右両側縁に沿って前方に延びる左右一対の溝部１２ａ，１２ｂと、これら両溝部１２ａ，１２ｂの前端同士を連結する前側溝部１２ｃとからなるコ字状溝部１２が形成されており、後述する上側陳列台２の外側枠部４３を着脱自在に載置しうるように構成されている。また、上記化粧皿収容凹部１１には、上記コ字状溝部１２の左右一対の溝部１２ａ，１２ｂの内側部分にそれぞれ、後述する上側陳列台２の両脚部４４を着脱自在に載置，固定しうる左右一対の脚部載置用凹部（固定部）１３が形成されており、これら両脚部載置用凹部１３の底壁１３ａに蝶ねじ挿通孔１３ｂが穿設されている。
【００１２】
また、上記化粧皿収容凹部１１には、その左側部分（上記左側の脚部載置用凹部１３より内側部分）に前後方向に延びる１条の前側仕切板１４と、この前側仕切板１４より低く形成された１条の後側仕切板１５とが、上記コ字状溝部１２の前側溝部１２ｃを挟んだ状態で、立設されており、これにより、上記化粧皿収容凹部１１が左右に仕切られている。
【００１３】
そして、上記化粧皿収容凹部１１の両仕切板１４，１５の右側部分に、それぞれ異なる色（女性の肌の色に合わせた色）の新製品の固形ファンデーション１７ａが収容された９個の平板状の化粧皿（平板状化粧皿）１７が、前後３列（１列に３個の化粧皿１７）の状態で、並べられるようにしている（すなわち、９種類の色の固形ファンデーション１７ａを陳列できるようにしている）。より詳しく説明すると、上記化粧皿収容凹部１１の両仕切板１４，１５の右側部分のうち、上記コ字状溝部１２の前側溝部１２ｃの前側には、６個の化粧皿１７が前後２列に並べられ、上記前側溝部１２ｃの後側には、３個の化粧皿１７が１列に並べられるようにしている（図１参照）。
【００１４】
また、上記化粧皿収容凹部１１の両仕切板１４，１５の左側部分のうち、上記コ字状溝部１２の前側溝部１２ｃの前側には、それぞれ異なる色（これらの色は、売れ筋の色である）の既存品の固形ファンデーション１８ａが収容された２個の化粧皿１８が、前後に２つ並べられるようにしている（図１および図２参照）。また、上記化粧皿収容凹部１１の両仕切板１４，１５の左側部分のうち、上記コ字状溝部１２の前側溝部１２ｃの後側には、目隠しＰＯＰ７が載置されるようにしている（図１参照）。
【００１５】
また、上記下側陳列台１の上面１ａの後半部分には、その前部に、上記化粧皿収容凹部１１のコ字状溝部１２と同形状のコ字状溝部２１が形成されている。このコ字状溝部２１は、上記下側陳列台１の左右両側縁の前端部から左右両側縁に沿って方向に延びる左右一対の溝部２１ａ，２１ｂと、これら両溝部２１ａ，２１ｂの前端同士を連結する前側溝部２１ｃとからなり、上記化粧皿収容凹部１１のコ字状溝部１２と同様に、上記上側陳列台２の外側枠部４３を着脱自在に載置しうるように構成されている。また、上記下側陳列台１の上面１ａには、上記コ字状溝部２１の左右一対の溝部２１ａ，２１ｂの内側部分にそれぞれ、上記上側陳列台２の両脚部４４を着脱自在に載置，固定しうる脚部載置用凹部（固定部）２２が形成されており、これら両脚部載置用凹部２２の底壁２２ａに蝶ねじ挿通孔２２ｂが穿設されている。
【００１６】
また、上記下側陳列台１の上面１ａの前部には、後述する上側陳列台２の枠部４５を着脱自在に載置しうる枠部載置用凹部２３が、上記コ字状溝部２１の前側溝部２１ｃから後方に向かって延びている。図５において、２４は上記下側陳列台１の下面後端部から下方に延びる左右一対の脚部である。
【００１７】
上記上側陳列台２は、図６〜図９に示すように、その上面２ａが後上がり状に緩やかに湾曲する湾曲面（上記下側陳列台１の上面１ａより傾斜角度が大きい湾曲面）に形成されており、その中央部分に前後方向に並ぶ９つの化粧料容器載置用凹部２６が形成されている（図８参照）。また、上記上側陳列台２の上面２ａには、その右側部分に前側から順に、パフ収容ケース４を載置するための凹部２７，フィニッシュパウダー収容ケース５を載置するための凹部２８およびコンパクト用ケース受け２９（図１０参照）を支受するための凹部３０が形成されており、この凹部３０の底壁３０ａに、コンパクト用ケース受け２９の立片２９ａ（図１０参照）を挿通するための貫通孔３０ｂが穿設されている（図９参照）。
【００１８】
そして、上記上側陳列台２の９つの化粧料容器載置用凹部２６にそれぞれ、それぞれ異なる色（これらの色は、上記新製品の固形ファンデーション１７ａの９種類の色に対応している）の新製品のリクイドファンデーション（図示せず）が収容された９個の化粧料容器３３（図１参照）が載置されるようにしている（すなわち、９種類の色のリクイドファンデーションが収容された化粧料容器３３を陳列できるようにしている）。
【００１９】
また、上記上側陳列台２の上面２ａには、その左側部分の後半部分に、ボトルタイプの化粧料容器３４（図１参照）を載置するための凹部３５や、チューブタイプの化粧料容器３６（図１参照）を載置するための凹部３７や、ペンタイプの化粧料容器３８（図１参照）を載置するための凹部３９が形成されている（図１０参照）。また、上記上側陳列台２の上面２ａには、その左側部分の前半部分に、それぞれ異なる色（これらの色は、上記既存品の固形ファンデーション１８ａの２種類の色に対応している）のリクイドファンデーションが収容された２個の化粧料容器（図示せず）を載置するための凹部４０が形成されている（図１０参照）。図において、４１は適宜形状にカットしうるＰＯＰシールであり、化粧料容器載置用凹部２６やその他の凹部３５，３７，３９，４０を隠すために用いることができる。例えば、図１および図２では、ＰＯＰシール４１は上記両凹部４０を隠すために、上記上側陳列台２の上面２ａに貼着されている。また、４２は訴求ボード３を支受する枠状支受部であり、その貫通孔４２ａに、訴求ボード３の下端から突設される差し込み片３ａが挿通される。なお、図９では、上記凹部３５，３７，３９，４０は図示せず。
【００２０】
また、上記上側陳列台２には、その下面外周部が垂下しており、これら垂下する部分で形成される長方形状の外側枠部４３の前側コ字状部分が、上記下側陳列台２の両コ字状溝部１２，２１に着脱自在に載置しうるように構成されている。また、上記上側陳列台２の下面前部から、上記下側陳列台１の各脚部載置用凹部２２に着脱自在に載置される左右一対の脚部４４が突設されており、これら両脚部４４の底壁４４ａに、蝶ねじ４６（図１０参照）にら合するねじ部４４ｂが形成されている。また、上記９つの化粧料容器載置用凹部２６のうち、最前の凹部２６の底面外周部が長く垂下しており、これら垂下する部分で形成される枠部４５が上記下側陳列台１の枠部載置用凹部２３に位置決め状に載置されるようにしている。
【００２１】
上記の構成において、下側陳列台１および上側陳列台２を組み立てて、９種類の色の固形ファンデーション１７ａおよび化粧料容器３３を陳列する場合には、まず、図１０に示すように、下側陳列台１の後半部分のコ字状溝部２１に上側陳列台２の外側枠部４３の前側コ字状部分を位置決め，載置し、下側陳列台１の枠部載置用凹部２３に上側陳列台２の枠部４５を位置決め，載置し、下側陳列台１の両脚部載置用凹部２２に上側陳列台２の両脚部４４を位置決め，載置し、ついで、両脚部載置用凹部２２に両脚部４４を蝶ねじ４６で固定する。この状態では、下側陳列台１の化粧皿収容凹部１１は全て外部露呈している。また、上側陳列台２の９つの化粧料容器載置用凹部２６は全て外部に露呈させておく（図１１参照）。つぎに、下側陳列台１の化粧皿収容凹部１１に、それぞれ異なる色の新製品の固形ファンデーション１７ａが収容された９個の化粧皿１７を、前後３列（１列に３個の化粧皿１７）に並べる（図１１参照）。また、上側陳列台２の９つの化粧料容器載置用凹部２６に、それぞれ異なる色（これらの色は、上記新製品の固形ファンデーション１７ａの９種類の色に対応している）の新製品のリクイドファンデーションが収容された９個の化粧料容器３３を載置する。そののち、図１に示すように、適宜陳列する。この第１の陳列態様では、９種類の色の固形ファンデーション１７ａおよび化粧料容器３３を陳列することができる。
【００２２】
一方、下側陳列台１および上側陳列台２を組み立てて、６種類の色の固形ファンデーション１７ａおよび化粧料容器３３だけを陳列する場合には、まず、図１２に示すように、下側陳列台１の化粧皿収容凹部１１のコ字状溝部１２に上側陳列台２の外側枠部４３の前側コ字状部分を位置決め，載置し、下側陳列台１の化粧皿収容凹部１１（の、化粧皿収容凹部１１のコ字状溝部１２の前側溝部１２ｃの後側部分）に上側陳列台２の枠部４５を位置決め，載置し、下側陳列台１の化粧皿収容凹部１１の両脚部載置用凹部１３に上側陳列台２の両脚部４４を位置決め，載置し、ついで、両脚部載置用凹部１３に両脚部４４を蝶ねじ４６で固定する。このとき、後側仕切板１５は上側陳列台２の邪魔にならない。この状態では、下側陳列台１の化粧皿収容凹部１１は、そのコ字状溝部１２の前側溝部１２ｃの後側部分が、上側陳列台２で覆われている。また、上側陳列台２の９つの化粧料容器載置用凹部２６のうち、後側の３つの化粧料容器載置用凹部２６をＰＯＰシール４１で隠しておく。つぎに、下側陳列台１の化粧皿収容凹部１１に、それぞれ異なる色の新製品の固形ファンデーション１７ａが収容された６個の化粧皿１７を、前後２列（１列に３個の化粧皿１７）に並べる（図１３参照）。また、上側陳列台２の６つの化粧料容器載置用凹部２６に、それぞれ異なる色（これらの色は、上記化粧皿収容凹部１１に収容した固形ファンデーション１７ａの６種類の色に対応している）の新製品のリクイドファンデーションが収容された６個の化粧料容器３３を載置する。そののち、図２に示すように、適宜陳列する。この第２の陳列態様では、６種類の色の固形ファンデーション１７ａおよび化粧料容器３３だけを陳列することができる。
【００２３】
上記のように、この実施の形態では、９種類の色の固形ファンデーション１７ａおよび化粧料容器３３を陳列する第１の陳列態様と、６種類の色の固形ファンデーション１７ａおよび化粧料容器３３だけを陳列する第２の陳列態様のいずれかを選択することができる。しかも、第２の陳列態様で陳列する場合には、第１の陳列態様から、上側陳列台２を前側に移動させているため、前後寸法が短くなり、広いスペースを必要としない。しかも、第１および第２の陳列態様は、１組の陳列台１，２だけを用いて行うことができる。
【００２４】
なお、上記実施の形態では、下側陳列台１の化粧皿収容凹部１１に９個の化粧皿１７を前後３列に並べるようにしているが、これに限定するものではなく、２列に並べてもよいし、４列以上に並べてもよい。また、上記化粧皿収容凹部１１に並べる化粧皿１７の列数に対応させて、上側陳列台２を固定する下側陳列台１の脚部載置用凹部１３，２２の位置も、前後に適宜変更することができる。
【００２５】
また、上記実施の形態において、上記上側陳列台２の上面２ａの左側部分を、３段に形成し、各段部にボトルタイプの化粧料容器３４等を載置するようにしてもよい。また、上記実施の形態において、ＰＯＰシール４１に代えて、マスクを用い、上側陳列台２の９つの化粧料容器載置用凹部２６のうち、後側の３つの化粧料容器載置用凹部２６を上記マスクで着脱自在に覆うようにしてもよい。
【００２６】
【発明の効果】
以上のように、本発明の陳列台装置によれば、新製品の発表期間等においては、第１の陳列態様により、下側陳列台の平板状化粧皿を全て露呈させることで、多種類の化粧料を陳列することができる。また、新製品の発表期間等が終了したのちには、第２の陳列態様により、少なくとも下側陳列台の最前列の平板状化粧皿を露呈させることで、多種類の化粧料のうちの何種類かの化粧料だけを陳列することもできる。しかも、このときに、本発明の陳列台装置を構成する両陳列台を利用することができ、本発明の陳列台装置とは別に小型陳列台を用意する必要がない。しかも、第２の陳列態様にする場合には、第１の陳列態様から上側陳列台を前側に移動させるようにしているため、前後寸法が短くなり、狭い場所にも対応することができる。
【００２７】
本発明において、上記下側陳列台の化粧皿収容凹部に固定部が少なくとも１つ形成されている場合には、化粧皿収容凹部を利用して固定部を形成することができるため、下側陳列台の前後寸法を短くすることができる。
【図面の簡単な説明】
【図１】本発明の陳列台装置の一実施の形態を用いた第１の陳列態様を示す斜視図である。
【図２】上記陳列台装置を用いた第２の陳列態様を示す斜視図である。
【図３】下側陳列台の斜視図である。
【図４】上記下側陳列台の平面図である。
【図５】上記下側陳列台を下から見た図である。
【図６】上側陳列台の斜視図である。
【図７】上記上側陳列台の平面図である。
【図８】上記上側陳列台の平面図である。
【図９】上記上側陳列台を下から見た図である。
【図１０】上記陳列台装置の組立要領を示す斜視図である。
【図１１】上記陳列台装置の組立要領を示す平面図である。
【図１２】上記陳列台装置の組立要領を示す斜視図である。
【図１３】上記陳列台装置の組立要領を示す平面図である。
【図１４】従来例を示す正面図である。
【符号の説明】
１  下側陳列台
２  上側陳列台
１１  化粧皿収容凹部
１７  化粧皿
２６  化粧料容器載置用凹部
３３  化粧料容器
【図１】
2004215963.tif 000003
【図２】
2004215963.tif 000004
【図３】
2004215963.tif 000005
【図４】
2004215963.tif 000006
【図５】
2004215963.tif 000007
【図６】
2004215963.tif 000008
【図７】
2004215963.tif 000009
【図８】
2004215963.tif 000010
【図９】
2004215963.tif 000011
【図１０】
2004215963.tif 000012
【図１１】
2004215963.tif 000013
【図１２】
2004215963.tif 000014
【図１３】
2004215963.tif 000015
【図１４】
2004215963.tif 000016